(57)【特許請求の範囲】
【請求項１】
内部に回路基板を収容するとともに、配線挿通穴が貫通形成されたケーシングと、
前記配線挿通穴を覆うようにして前記ケーシングの外側面に取り付けられたキーボードと、
前記配線挿通穴を通して前記キーボードと前記回路基板とを接続する電気配線と、
を備える携帯型電子機器において、
前記キーボードを貫通してデバイス設置穴が形成されるとともに、該デバイス設置穴にポインティングデバイスが設けられ、
前記ケーシングにおける、前記キーボードのデバイス設置穴に対応する位置に、前記デバイス設置穴と前記ポインティングデバイスとの間の隙間から浸入した水を貯留可能な凹溝が形成され、
前記ポインティングデバイスが、前記キーボードの裏面側へ突出するようにして前記デバイス設置穴に設けられ、
前記ポインティングデバイスのうち前記キーボードの裏面側へ突出した部分が、前記凹溝の内部に凹溝との間に間隔をおいて収容されたことを特徴とする携帯型電子機器。
【請求項２】
前記ケーシングと前記キーボードとの間に、前記配線挿通穴を包囲して、防水パッキンが挟み込まれたことを特徴とする請求項１に記載の携帯型電子機器。
【請求項３】
前記キーボードの裏面から突出して、ネジ孔が形成されたネジボス部が設けられる一方、前記ケーシングに、底部にネジ挿通孔が形成されたボス嵌合凹部が設けられたことを特徴とする請求項１または２に記載の携帯型電子機器。
【発明の詳細な説明】
【技術分野】
【０００１】
本発明は、キーボードにポインティングデバイスが設けられた携帯型電子機器に関するものである。
【背景技術】
【０００２】
近年、ノート型のパーソナルコンピュータ（以下、ノートパソコンと略称する）や多機能型の携帯電話端末（以下、スマートフォンと略称する）のような、キーボードを備えた携帯型電子機器が増加している。また、常時、携帯型電子機器を携帯しているユーザが増加しており、野外や悪天候時等、様々な環境の下で携帯型電子機器が使われることが多くなってきている。このことから、携帯型電子機器に対して、小型、軽量化の要望と共に、野外や悪天候時にも問題なく使用できる防水機能や、落下や衝撃があっても破損や故障に至らない頑丈な構造が要望されてきている。また、防水機能が備えられていると、使用時にユーザが誤って飲料水をキーボードにこぼしてしまったような場合にも、内部の機器に損傷を与えることがなく、安心して使用を続けられる。
【０００３】
防水機能を備えたノートパソコンとしては、例えば、特許文献１や特許文献２に記載されているようなものが提案されている。特許文献１に示されているものは、シーリング部材を介在させることで、キーボードから内部への水の進入を防止するものである。特許文献２に示されているものは、液溜まり部を設け、貫通口を介して進入した水が内部に入らないようにしたものである。
【０００４】
また、キーボードは一般的に高価な部品であるため、容易に解体して修理できることが望まれる。このため、ノートパソコンでは、嵌め込み式でキーボードをケースに取り付けるようなことが多い。ところが、嵌め込み式でキーボードをケースに取り付けるような場合には、キーボード側から内部への水浸入を防止するような構造とすることは困難である。
【０００５】
また、両面テープでキーボードを固定する構造として、キーボードの交換を可能とすると共に、キー操作面からの水浸入を防ぐような構造することも可能である。しかしながら、キーボードを両面テープで貼着すると、ケース破損等でケースのみ交換したいときにもキーボードを固定している両面テープを剥がす必要があり、その際にキーボードが変形してしまい、キーボードが損傷してしまう可能性がある。
【０００６】
ところで、特許文献１及び特許文献２に示されるようなノートパソコンの防水機構では、ポインティングデバイス（タッチパッド）がキーボードと別体に構成されている。このような構成では、ポインティングデバイスを密閉してケースに装着することができる。
【先行技術文献】
【特許文献】
【０００７】
【特許文献１】特開２００７−２７２４０２号公報
【特許文献２】特開２００８−３１０６５７号公報
【発明の概要】
【発明が解決しようとする課題】
【０００８】
しかしながら、常時、ユーザが携帯して使用するような携帯型電子機器では、更なる小型、軽量化が必要である。携帯型電子機器の小型化が進むと、ポインティングスティックのようなポインティングデバイスをキーボード内に設置することになる。ポインティングデバイスをキーボード内に設置する場合、通常、ポインティングスティックの厚さはキーボードの厚さより大きいため、キーボードの底面に開口を設け、この開口にポインティングデバイスを取り付けることが考えられる。しかしながら、キーボードの底面にポインティングデバイスを取り付けるための開口を設けると、この開口から内部に水が進入し、防水機能が保てなくなる可能性がある。
【０００９】
本発明は、このような事情を考慮してなされたものであり、その目的は、ポインティングデバイスをキーボード内に設置した構成で高い防水効果が得られ、然も、キーボードの着脱が容易な携帯型電子機器を提供することにある。
【課題を解決するための手段】
【００１０】
上記目的を達成するために、本発明は以下の手段を採用している。すなわち、本発明に係る携帯型電子機器は、内部に回路基板を収容するとともに、配線挿通穴が貫通形成されたケーシングと、前記配線挿通穴を覆うようにして前記ケーシングの外側面に取り付けられたキーボードと、前記配線挿通穴を通して前記キーボードと前記回路基板とを接続する電気配線と、を備える携帯型電子機器において、前記キーボードを貫通してデバイス設置穴が形成されるとともに、該デバイス設置穴にポインティングデバイスが設けられ、前記ケーシングにおける、前記キーボードのデバイス設置穴に対応する位置に、前記デバイス設置穴と前記ポインティングデバイスとの間の隙間から浸入した水を貯留可能な凹溝が形成されたことを特徴とする。
【発明の効果】
【００１１】
本発明に係る携帯型電子機器によれば、デバイス設置穴とポインティングデバイスの間の隙間から水が浸入しても、この水は凹溝に貯留され、配線挿通穴を通ってケーシングの内部へは浸入しない。これにより、ポインティングデバイスをキーボード内に設置した構成において、高い防水効果が得られ、しかも、キーボードのケーシングへの取り付けに両面テープを用いていないので、キーボードをケーシングに対して容易に着脱することができる。
【図面の簡単な説明】
【００１２】
【図１】本発明の第１の実施形態に係る携帯型電子機器の全体構成を示す斜視図である。
【図２】本発明の第１の実施形態に係る携帯型電子機器の構成を示す分解斜視図である。
【図３】本発明の第１の実施形態に係る携帯型電子機器におけるキーボードの構成を示す斜視図である。
【図４】本発明の第１の実施形態に係る携帯型電子機器におけるフロントケースの構成を示す斜視図である。
【図５】本発明の第１の実施形態に係る携帯型電子機器における防水パッキンの構成を示す斜視図である。
【図６】本発明の第１の実施形態に係る携帯型電子機器における回路基板の構成を示す斜視図である。
【図７】本発明の第１の実施形態に係る携帯型電子機器においてネジボス部とフロントケースがネジ止めされた状態を示す断面図である。
【図８】本発明の第１の実施形態に係る携帯型電子機器においてポインティングスティック部の突起部が下部フロントケースの凹部に収納された状態を示す断面図である。
【発明を実施するための形態】
【００１３】
以下、本発明の実施の形態について図面を参照しながら説明する。図１は、本発明の第１の実施形態に係る携帯型電子機器Ｋの斜視図である。図１に示すように、本発明の第１の実施形態に係る携帯型電子機器Ｋは、ディスプレイ１０が取り付けられた上部筐体１と、キーボード１３が取り付けられた下部筐体２とを、ヒンジ３を介して開閉可能に結合して構成されている。キーボード１３は、ポインティングスティック部１７（ポインティングデバイス）を一体的に設置した構成とされている。
【００１４】
図２は、本発明の第１の実施形態に係る携帯型電子機器Ｋの分解図である。図２に示すように、下部筐体２は、フロントケース１１（ケーシング）と、フロントケース１１の底部に固定されるリアケース１２（ケーシング）と、キーボード１３と、フロントケース１１とリアケース１２との間に収容される回路基板１５と、を有している。
【００１５】
図３（Ａ）及び図３（Ｂ）は、本発明の第１の実施形態に係る携帯型電子機器Ｋにおけるキーボード１３の表面及び裏面を示す斜視図である。図３（Ａ）及び図３（Ｂ）に示すように、キーボード１３は、少なくとも、複数のキーボタン部１６と、ポインティングスティック部１７と、キーボード１３の底面のバックプレート部１８とから構成されている。
【００１６】
バックプレート部１８の裏面には、ネジボス部１９が備えられている。ネジボス部１９は、バックプレート部１８から突出している。このネジボス部１９には、図７に示すように、雌ネジが切られたネジ孔Ｎが形成されている。ネジボス部１９は、一例として、バックプレート部１８の周囲を囲むように、６箇所設置されている。
【００１７】
ポインティングスティック部１７は、バックプレート部１８にデバイス設置穴２０（図８参照）を設け、このデバイス設置穴２０に、バックプレート部１８の裏面から、ポインティングスティック部１７を構成する素子を取り付ける構成になっている。また、バックプレート部１８からは、キーボタン用フレキシブル基板２１と、ポインティングスティック用フレキシブル基板２２（電気配線）が延出されている。キーボタン用フレキシブル基板２１は、キーボード１３に配設されたキーと回路基板１５との間を電気的に接続する配線となる。ポインティングスティック用フレキシブル基板２２は、キーボード１３に配設されたポインティングスティック部１７と回路基板１５との間を電気的に接続する配線となる。
【００１８】
図４は、本発明の第１の実施形態に係る携帯型電子機器Ｋにおけるフロントケース１１を示す斜視図である。図４に示すように、フロントケース１１は、キーボード１３を設置するためのキーボード受面２３を備えている。
【００１９】
キーボード受面２３には、凹溝２４が形成されている。この凹溝２４の位置は、バックプレート部１８のポインティングスティック部１７（図３参照）の位置に対応している。
【００２０】
また、フロントケース１１には、ボス嵌合凹部２５が形成されている。このボス嵌合凹部２５には、図７に示すように、その底部にネジ挿通孔Ｈが形成されている。これらのボス嵌合凹部２５の位置は、バックプレート部１８のネジボス部１９（図３参照）の位置に対応している。
【００２１】
また、フロントケース１１には、キーボード１３の底部から延出されたキーボタン用フレキシブル基板２１及びポインティングスティック用フレキシブル基板２２を挿通させるための配線挿通穴２６が設けられる。図２に示すように、配線挿通穴２６には、防水パッキン１４が取り付けられる。
【００２２】
防水パッキン１４は、図５に示すように、ゴムや合成樹脂等の柔軟性の物質から形成され、フランジ部３１と、穴部３２とを有している。穴部３２はキーボード１３の底部から延出されたキーボタン用フレキシブル基板２１及びポインティングスティック用フレキシブル基板２２を挿通させるためのものである。配線挿通穴２６に、防水パッキン１４を装着し、フランジ部３１をバックプレート部１８とキーボード受面２３で挟み込むことによって、配線挿通穴２６を介して漏れる水が止水される。
【００２３】
図６は、本発明の第１の実施形態に係る携帯型電子機器Ｋにおける回路基板１５を示す斜視図である。図６に示すように、回路基板１５には、少なくともキーボタン用コネクタ２７と、ポインティングスティック用コネクタ２８とが設けられる。キーボタン用コネクタ２７は、キーボード１３の底面から延出されたキーボタン用フレキシブル基板２１と接続し、回路基板１５とキーボード１３の各キーとを電気的に接続させるためのコネクタである。ポインティングスティック用コネクタ２８は、ポインティングスティック用フレキシブル基板２２とを接続し、回路基板１５とポインティングスティック部１７とを電気的に接続させるためのコネクタである。
【００２４】
次に、本発明の第１の実施形態に係る携帯型電子機器Ｋを組み立て工程について説明する。本発明の第１の実施形態に係る携帯型電子機器Ｋを組み立てる場合には、図２において、作業者は、配線挿通穴２６に、防水パッキン１４を装着し、キーボード１３の底面から延出されたキーボタン用フレキシブル基板２１及びポインティングスティック用フレキシブル基板２２（図３参照）を、防水パッキン１４を装着した配線挿通穴２６に挿通した後、キーボード１３のネジボス部１９（図３参照）をフロントケース１１のボス嵌合凹部２５に挿入しながら、キーボード１３をフロントケース１１のキーボード受面２３に載せる。
【００２５】
図７に示すように、ネジボス部１９はキーボード１３のバックプレート部１８から突出しており、キーボード１３をフロントケース１１のキーボード受面２３に載せると、ネジボス部１９はフロントケース１１のボス嵌合凹部２５内に挿入される。
【００２６】
次に、作業者は、フロントケース１１の裏面から、ネジ挿通孔Ｈを通してネジ孔Ｎにネジ２９を螺合させることにより、キーボード１３をフロントケース１１に固定する。キーボード１３がフロントケース１１に固定されたら、次に、作業者は、回路基板１５をフロントケース１１の底部に嵌合させ、配線挿通穴２６を介されたキーボタン用フレキシブル基板２１及びポインティングスティック用フレキシブル基板２２を、キーボタン用コネクタ２７及びポインティングスティック用コネクタ２８（図６参照）にそれぞれ装着し、リアケース１２をフロントケース１１にネジ止めして固定する。
【００２７】
図８は、本発明の第１の実施形態に係る携帯型電子機器Ｋにおいて、下部筐体２のポインティングスティック部１７の付近を示す断面図である。図８に示すように、フロントケース１１の上面にキーボード１３が取り付けられ、フロントケース１１の裏面にリアケース１２が取り付けられ、フロントケース１１とリアケース１２との間に、回路基板１５が介装される。キーボード１３のバックプレート部１８には、ポインティングスティック部１７の部分に、デバイス設置穴２０が形成されている。
【００２８】
本発明の第１の実施形態に係る携帯型電子機器Ｋでは、キーボード１３をフロントケース１１に取り付けると、図８に示すように、バックプレート部１８の裏面から突出しているポインティングスティック部１７は、フロントケース１１の凹溝２４内に収納される。これにより、ポインティングスティック部１７の厚さが、キーボタン部１６とバックプレート部１８とを足した厚みより大きくなっていても、キーボード１３をフロントケース１１の上面に取り付けることができる。
【００２９】
また、キーボード１３のバックプレート部１８にはデバイス設置穴２０が形成されているため、このデバイス設置穴２０とポインティングスティック部１７との間の隙間Ｓから、キーボード１３内に水が進入する可能性がある。しかしながら、隙間Ｓから進入した水は、ポインティングスティック部１７の取り付け位置と対峙して設けられる凹溝２４の内部に貯留される。これにより、図４に示すように、凹溝２４に隣接してフロントケース１１に設けられた配線挿通穴２６から、装置内部へ水が浸入することを防止することができる。
【００３０】
このように、本発明の第１の実施形態に係る携帯型電子機器Ｋでは、凹溝２４は、キーボード１３の裏面から突出したポインティングスティック部１７を収納する部分となると共に、水を溜めるためのダムとして使うことができる。また、フロントケース１１の配線挿通穴２６には、防水パッキン１４が装着される。このため、配線挿通穴２６から装置内部へ水が浸入することを、より一層防止することができる。
【００３１】
また、本発明の第１の実施形態に係る携帯型電子機器Ｋでは、図７に示したように、キーボード１３をフロントケース１１のキーボード受面２３に載せると、ネジボス部１９はフロントケース１１のボス嵌合凹部２５内に挿入され、キーボード１３とフロントケース１１との位置決めが行われる。そして、フロントケース１１の裏面からネジ２９を締めることにより、キーボード１３がフロントケース１１に固定される。このように、位置決めが簡単に行え、ネジ２９だけで、キーボード１３が簡単に脱着できる。このため、キーボードの交換が容易で、修理コストが低減できる。
【００３２】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００３３】
１：上部筐体
２：下部筐体
３：ヒンジ
１０：ディスプレイ
１１：フロントケース（ケーシング）
１２：リアケース（ケーシング）
１３：キーボード
１４：防水パッキン
１５：回路基板
１６：キーボタン部
１７：ポインティングスティック部（ポインティングデバイス）
１８：バックプレート部
１９：ネジボス部
２０：デバイス設置穴
２１：キーボタン用フレキシブル基板
２２：ポインティングスティック用フレキシブル基板（電気配線）
２３：キーボード受面
２４：凹溝
２５：ボス嵌合凹部
２６：配線挿通穴
２７：キーボタン用コネクタ
２８：ポインティングスティック用コネクタ
２９：ネジ
３１：フランジ部
３２：穴部
Ｈ：ネジ挿通孔
Ｋ：携帯型電子機器
Ｎ：ネジ孔
Ｓ：隙間
【図１】
0005574420.tif 000002
【図２】
0005574420.tif 000003
【図３】
0005574420.tif 000004
【図４】
0005574420.tif 000005
【図５】
0005574420.tif 000006
【図６】
0005574420.tif 000007
【図７】
0005574420.tif 000008
【図８】
0005574420.tif 000009